(57)【要約】      （修正有）【課題】バイパスラインとして構成されたエアブリージング経路内に生成した結露水を経路外に排出し、経路の閉塞が抑制可能な燃料電池システムを提供する。【解決手段】燃料電池システム１００は、改質器１１５と、ＣＯ除去器１１７と、ＣＯ除去器に酸化ガスを供給するための酸化ガス供給器１３０と、燃料電池１０１と、酸化ガス供給器から供給される酸化ガスがＣＯ除去器に流れる第１の酸化ガス流路１３１と、第１の酸化ガス流路から分岐しＣＯ除去器から燃料電池へ供給される水素含有ガスに酸化ガスを混入するための第２の酸化ガス流路１３２と、分岐部１４０より下流の第１の酸化ガス流路１３１ａに設けられた第１の流量調整器１３４と、制御器１６０とを備え、制御器は、分岐部より下流の第１の酸化ガス流路の流路抵抗が第２の酸化ガス流路の流路抵抗よりも大きくなるように第１の流量調整器を制御する。【選択図】図１
2008077973.tif 000002
【特許請求の範囲】
【請求項１】
原料ガスと水蒸気とから水素含有ガスを生成する改質器と、前記生成された水素含有ガス中に含まれる一酸化炭素の濃度を酸化反応により低減させるためのＣＯ除去器と、該ＣＯ除去器に前記酸化反応に用いる酸化ガスを供給するための酸化ガス供給器と、前記ＣＯ除去器から送出される前記水素含有ガスを用いて発電する燃料電池と、前記酸化ガス供給器から供給される前記酸化ガスが前記ＣＯ除去器に流れる第１の酸化ガス流路と、前記第１の酸化ガス流路から分岐し前記ＣＯ除去器から前記燃料電池へ供給される前記水素含有ガスに前記酸化ガスを混入するための第２の酸化ガス流路と、前記分岐部より下流の前記第１の酸化ガス流路に設けられた第１の流量調整器と、制御器と、を備え、
該制御器は、前記酸化ガス供給器より酸化ガスを供給するとともに、前記分岐部より下流の前記第１の酸化ガス流路の流路抵抗が前記第２の酸化ガス流路の流路抵抗よりも大きくなるように前記第１の流量調整器を制御する、燃料電池システム。
【請求項２】
前記第１の流量調整器が可変オリフィスであり、前記制御器は、前記酸化ガス供給器より酸化ガスを供給するとともに、前記可変オリフィスを制御して、前記第１の酸化ガス流路の流路抵抗を前記第２の酸化ガス流路の流路抵抗よりも大きくする、請求項１に記載の燃料電池システム。
【請求項３】
前記第１の流量調整器が弁であり、前記制御器は、前記酸化ガス供給器より酸化ガスを供給するとともに、前記弁を閉止させる、請求項１に記載の燃料電池システム。
【請求項４】
前記制御器は、前記ＣＯ除去器から前記燃料電池に前記水素含有ガスが供給される前に前記制御を行う、請求項１に記載の燃料電池システム。
【請求項５】
前記改質器と前記ＣＯ除去器との間に銅含有変成触媒を有する変成器を備え、
前記制御器は、前記改質器に原料ガスが供給されている時に前記制御を行う、請求項１に記載の燃料電池システム。
【請求項６】
原料ガスと水蒸気とから水素含有ガスを生成する改質器と、前記生成された水素含有ガス中に含まれる一酸化炭素の濃度を酸化反応により低減させるためのＣＯ除去器と、該ＣＯ除去器に前記酸化反応に用いる酸化ガスを供給するための酸化ガス供給器と、前記ＣＯ除去器から送出される前記水素含有ガスを用いて発電する燃料電池と、前記酸化ガス供給器から供給される前記酸化ガスが前記ＣＯ除去器に流れる第１の酸化ガス流路と、前記第１の酸化ガス流路から分岐し前記ＣＯ除去器から前記燃料電池へ供給される前記水素含有ガスに前記酸化ガスを混入するための第２の酸化ガス流路と、前記分岐部より下流の前記第１の酸化ガス流路に設けられた第１の流量調整器とを備える燃料電池システムの運転方法であって、
前記酸化ガス供給器より酸化ガスを供給するとともに、前記第１の流量調整器により前記第１の酸化ガス流路の流路抵抗を前記第２の酸化ガス流路の流路抵抗よりも大きくするステップを有する、燃料電池システムの運転方法。
【発明の詳細な説明】
【技術分野】
【０００１】
本発明は、燃料電池に供給される水素含有ガスに少量の酸化ガスを混入させる燃料電池システム及びその運転方法に関する。
【背景技術】
【０００２】
燃料電池は、そのアノードに水素含有ガスとして供給される水素リッチな水素含有ガスと、そのカソードに酸化剤ガスとして供給される空気とを反応させて、発熱を伴った発電を行う。アノード及びカソードには、白金触媒が担持されている。水素含有ガスである水素含有ガスは、通常、改質器を用いて都市ガス等の原料ガスと水蒸気とを水蒸気改質反応させることにより生成される。しかし、このように生成された水素含有ガスには、微量の一酸化炭素が含まれている。一酸化炭素が含まれた水素含有ガスが燃料電池のアノードに供給されると、アノードに担持された白金触媒の被毒を引き起こす。したがって、水素含有ガスに含まれる一酸化炭素の濃度を低下させる必要がある。従来においては、改質器で生成された水素含有ガスを水性ガスシフト反応及び酸化反応させて、一酸化炭素の濃度を低減させる変成器及びＣＯ除去器が用いられている。しかし、変成器及びＣＯ除去器を用いて、水素含有ガスに含まれる一酸化炭素の濃度を低減させることには限界がある。
【０００３】
そこで、白金触媒が被毒された場合において、アノードに供給される水素含有ガスに、燃料電池へ酸化剤ガスを供給する酸化剤供給ラインからのバイパスライン（エアブリージング経路）を介して少量の酸化ガス（空気）を混入させる技術（以下、エアブリージングという）が行われている（特許文献１及び特許文献２参照）。この技術によれば、混入された空気中の酸素により、白金触媒に吸着した一酸化炭素が酸化されて二酸化炭素となり、白金触媒から離脱する。その結果、白金触媒が被毒された状態から回復する。
【特許文献１】特開平６−２６０１９７号公報
【特許文献２】特開２００４−２４１２３９号公報
【発明の開示】
【発明が解決しようとする課題】
【０００４】
しかしながら、特許文献１及び特許文献２の構成においては、以下のような問題がある。
【０００５】
燃料電池システムの改質器には、水（水蒸気）と原料ガスとが投入され、これらの改質反応により水素含有ガスが発生する。この際、改質器には、水蒸気が改質反応に必要な量よりも過剰に供給されるため（例えば、水蒸気：原料ガス＝３：１）、生成された水素含有ガス中には、水蒸気が含まれる。そのため、改質器が配設された部位よりも下流の燃料電池システムの領域では、水蒸気の露点よりも温度が低い部位に結露水が生成する場合があり、特に、燃料電池システムの温度が低くなる停止動作時もしくは起動動作時において結露水が生成しやすくなる。結露水が生成しやすい部位としては、配管等の放熱の大きい部位が挙げられる。特に、エアブリージング経路を構成する配管は、バイパス元となっている別の酸化ガス供給配管に比べてその配管内を流れる酸化ガスの流量が通常極めて少ないため、このエアブリージング経路内に結露水が生成され、経路が閉塞（又は縮小）すると、これを解消するのは困難となる。
【０００６】
本発明は上記のような課題を解決するためになされたもので、バイパスラインとして構成されたエアブリージング経路内に生成した結露水を経路外に排出し、経路の閉塞を抑制可能な燃料電池システム及びその運転方法を提供することを目的としている。
【課題を解決するための手段】
【０００７】
上記課題を解決するために、本発明の燃料電池システムは、原料ガスと水蒸気とから水素含有ガスを生成する改質器と、前記生成された水素含有ガス中に含まれる一酸化炭素の濃度を酸化反応により低減させるためのＣＯ除去器と、該ＣＯ除去器に前記酸化反応に用いる酸化ガスを供給するための酸化ガス供給器と、前記ＣＯ除去器から送出される前記水素含有ガスを用いて発電する燃料電池と、前記酸化ガス供給器から供給される前記酸化ガスが前記ＣＯ除去器に流れる第１の酸化ガス流路と、前記第１の酸化ガス流路から分岐し前記ＣＯ除去器から前記燃料電池へ供給される前記水素含有ガスに前記酸化ガスを混入するための第２の酸化ガス流路と、前記分岐部より下流の前記第１の酸化ガス流路に設けられた第１の流量調整器と、制御器と、を備え、該制御器は、前記酸化ガス供給器より酸化ガスを供給するとともに、前記分岐部より下流の前記第１の酸化ガス流路の流路抵抗が前記第２の酸化ガス流路の流路抵抗よりも大きくなるように前記第１の流量調整器を制御する。
【０００８】
このように、分岐部より下流の第１の酸化ガス流路の流路抵抗を第２の酸化ガス流路の流路抵抗よりも大きくすることで、第２の酸化ガス流路に酸化ガスが流れやすくなり、第２の酸化ガス流路内に生成した結露水が排出され、経路の閉塞（又は縮小）が抑制される。
【０００９】
前記第１の流量調整器が可変オリフィスであり、前記制御器は、前記酸化ガス供給器より酸化ガスを供給するとともに、前記可変オリフィスを制御して、前記第１の酸化ガス流路の流路抵抗が前記第２の酸化ガス流路の流路抵抗よりも大きくしてもよい。
【００１０】
前記第１の流量調整器が弁であり、前記制御器は、前記酸化ガス供給路より酸化ガスを供給すると共に、前記弁を閉止させてもよい。
【００１１】
これにより、分岐部より下流の第１の酸化ガス流路の流路抵抗が大幅に大きくなり、第１の酸化ガス経路内の圧力損失ひいては第２の酸化ガス経路内の圧力損失が大幅に増加するため第２の酸化ガス経路内が閉塞（又は縮小）しても、これが解消される可能性が高くなる。
【００１２】
前記制御器は、前記ＣＯ除去器から前記燃料電池に前記水素含有ガスが供給される前に前記制御を行ってもよい。
【００１３】
燃料電池に水素含有ガスを供給し始めてから、第１の流量制御器により第１の酸化ガス流路の流路抵抗を大きくすると、ＣＯ除去器への酸化ガス供給量が減少し、一酸化炭素濃度の高い水素含有ガスが供給されて燃料電池に供給され、燃料電池の劣化要因となるため、このように燃料電池に水素含有ガスを供給する前に、第１の流量制御器により、第１の流量制御器により第１の酸化ガス流路の流路抵抗を大きくすることが好ましい。
【００１４】
また、これにより燃料電池に水素含有ガスを供給する前に、第２の酸化ガス流路内の結露水が排出されているため、燃料電池発電時においてエアブリード不良による燃料電池の劣化が抑制される。
【００１５】
前記改質器と前記ＣＯ除去器との間に銅含有変成触媒を有する変成器を備え、前記制御器は、前記改質器に原料ガスが供給されている時に前記第１の流量調整器に対する制御を行ってもよい。
【００１６】
このような構成とすると、第２の酸化ガス流路の閉塞を解消する際に、原料ガスの流れが変成器への酸化ガスの逆流を防止する。これにより、変成器が有する銅含有変成触媒に酸素が拡散することが防止されて、触媒劣化が抑制される。
【００１７】
また、本発明の燃料電池システムの運転方法は、原料ガスと水蒸気とから水素含有ガスを生成する改質器と、前記生成された水素含有ガス中に含まれる一酸化炭素の濃度を酸化反応により低減させるためのＣＯ除去器と、該ＣＯ除去器に前記酸化反応に用いる酸化ガスを供給するための酸化ガス供給器と、前記ＣＯ除去器から送出される前記水素含有ガスを用いて発電する燃料電池と、前記酸化ガス供給器から供給される前記酸化ガスが前記ＣＯ除去器に流れる第１の酸化ガス流路と、前記第１の酸化ガス流路から分岐し前記ＣＯ除去器から前記燃料電池へ供給される前記水素含有ガスに前記酸化ガスを混入するための第２の酸化ガス流路と、前記分岐部より下流の前記第１の酸化ガス流路に設けられた第１の流量調整器とを備える燃料電池システムの運転方法であって、前記酸化ガス供給器より酸化ガスを供給するとともに、前記第１の流量調整器により前記第１の酸化ガス流路の流路抵抗を前記第２の酸化ガス流路の流路抵抗よりも大きくするステップを有する。
【発明の効果】
【００１８】
本発明は上記のように構成され、燃料電池システム及びその運転方法において、バイパスラインとして構成されたエアブリージング経路内に生成した結露水を経路外に排出し、経路の閉塞が抑制するという効果を奏する。
【発明を実施するための最良の形態】
【００１９】
以下、本発明の実施形態について、図面を参照しながら説明する。
【００２０】
（第１実施形態）
図１は、本発明の第１実施形態の燃料電池システムの構成の一例を示すブロック図である。図２は、図１の燃料電池システムのうちの一部の構成を示す概略図である。図３は、図１の燃料電池システムを制御する制御プログラムを示すフローチャートである。
【００２１】
図１に示すように、本実施形態の燃料電池システム１００は、主な構成要素として、燃料電池１０１と、水素生成装置１１０と、酸化剤ガス供給器１２０と、酸化ガス供給器１３０と、制御器１６０と、燃料電池１０１を冷却する冷却システム（図示せず）と、インバータ（図示せず）と、バーナー１８０とを備えている。なお、図１には、燃料電池システム１００の本発明と関連する部分を示していて、そうでない部分は図示を省略している。
【００２２】
燃料電池システム１００は、燃料電池１０１を備えている。燃料電池１０１は、高分子電解質形燃料電池で構成されている。燃料電池１０１は、その内部に、水素含有ガスが通流するアノード経路１０１ａ、酸化剤ガスが通流するカソード経路１０１ｂ、及び冷却水が通流する冷却水経路（図示せず）が形成されている。そして、アノード経路１０１ａに接触するようにアノードが形成され、カソード経路１０１ｂに接触するようにカソードが形成されている。アノード及びカソードは触媒を備えている。アノード及びカソードに用いる触媒としては、例えば、アセチレンブラック系カーボン粉末（電気化学工業社製：ＤＥＮＫＡ  ＢＬＡＣＫ  ＦＸ−３５）に、白金−ルテニウム合金を２５％担持した触媒粉末が挙げられる。酸化剤ガスとして、本実施形態では、空気が用いられる。もちろん、これ以外の酸化剤ガスを用いても構わない。水素含有ガスとして、本実施形態では、水素含有ガスが用いられる。ここで、本明細書において、「水素含有ガス」とは、少なくとも炭素及び水素から構成される有機化合物を含む原料（例えば、都市ガス等）を改質して生成される水素リッチなガスをいう。
【００２３】
水素生成装置１１０は、ここでは、周知の水素生成装置で構成されている。したがって、詳しい説明は省略し、本発明と関連する事項のみを説明する。
【００２４】
水素生成装置１１０は、原料ガスと水蒸気とから水素含有ガスを生成する改質器１１５と、生成された水素含有ガスに含まれる一酸化炭素の濃度を変成反応により低減させるための変成器１１６と、変成された水素含有ガスに含まれる一酸化炭素の濃度を酸化反応により低減させるためのＣＯ除去器１１７と、を備えている。変成器１１６からＣＯ除去器１１７に水素含有ガスを流すための水素含有ガス流路１１３には、第１の酸化ガス流路１３１ａを介して、酸化ガス供給器１３０が接続されている。酸化ガス供給器１３０は、水素含有ガス流路１１３を通ってＣＯ除去器１１７に流れる水素含有ガスに酸化ガスを混入させる。これにより、ＣＯ除去器１１７は、後述する化３の酸化反応により、水素含有ガス中に含まれる一酸化炭素を酸化して、その濃度を低減させる。
【００２５】
次に、水素生成装置１１０の構成を詳しく説明する。
【００２６】
改質器１１５は、都市ガス等を原料として、以下の改質反応により水素リッチな水素含有ガスを生成する。改質器１１５は、改質反応を促進させる改質触媒（図示せず）を備えている。
［化１］
ＣmＨn＋ｍＨ2Ｏ→ｍＣＯ＋（ｍ＋ｎ／２）Ｈ2
この水素含有ガスは水素を主として含むが、副生物として一酸化炭素を含む。変成器１１６は、この水素含有ガス中に含まれる一酸化炭素を以下の変成反応により、二酸化炭素に転化する。変成器１１６は、変成反応を促進させる変成触媒（図示せず）を備えている。変成触媒としては、例えば、Ｃｕ／ＺｎＯ触媒等の銅含有変成触媒が挙げられる。
［化２］
ＣＯ＋Ｈ2Ｏ→ＣＯ2＋Ｈ2
しかし、変成反応により得られた水素含有ガスは、水素、ＣＯ、ＣＯ2、未反応の原料ガス、及び水蒸気を含んでおり、まだ一酸化炭素が残存している。ＣＯ除去器１１７は、この残存する一酸化炭素を以下の酸化反応により酸化し、一酸化炭素濃度を所定のレベルにまで低減させる。ここで、所定のレベルとは、例えば、１０ｐｐｍ以下のレベルをいう。すなわち、水素含有ガスは、その濃度が低減されていても、その生成反応に由来する一酸化炭素を含んでいる。ＣＯ除去器１１７は、酸化反応を促進させる酸化触媒（図示せず）を備えている。
［化３］
ＣＯ＋１／２Ｏ2→ＣＯ2
水素生成装置１１０は、このように一酸化炭素の濃度を所定のレベルにまで低減された水素含有ガスを、水素含有ガス供給流路１０２を通じて燃料電池１０１のアノード経路１０１ａに供給する。アノード経路１０１ａに供給された水素含有ガスはアノードに導かれ、酸化反応により消費される。消費されなかった余剰の水素含有ガスは、アノード経路１０１ａから水素含有ガス排出流路１０４に流出する。この流出した水素含有ガスは、後述するバーナー１８０で燃焼された後、大気に放出される。
【００２７】
水素含有ガス排出流路１０４には、この水素含有ガス排出流路１０４から排出された余剰水素含有ガスから水分を除去する水分除去器（図示せず）と、この水分除去器により除去された水を貯める水タンク（図示せず）とが配設されている。水分除去器により水分が除去された水素含有ガスは、バーナー１８０に供給される。バーナー１８０は水素生成装置１１０に熱を供給可能なように配設されている。バーナー１８０は、水分が除去された水素含有ガスを燃焼させて、水素含有ガスを生成する際の熱源とする。
【００２８】
本実施形態の燃料電池システム１００では、水素含有ガス供給流路１０２と水素含有ガス排出流路１０４とを接続するようにして、バイパス流路１０８が配設されている。バイパス流路１０８は、水素含有ガス供給流路１０２における後述する合流部１４１よりも下流の部位と、水素含有ガス排出流路１０４における水分除去器が配設された部位よりも上流の部位とを接続するように配設されている。
【００２９】
バイパス流路１０８は、燃料電池システム１００の起動動作時（以下、暖機時という）に使用される。燃料電池システム１００の暖機時においては、あらかじめ水素含有ガスが生成されるが、この水素含有ガスは燃料電池１０１には供給されず、バイパス流路１０８を介して、バーナー１８０へと供給される。この水素含有ガスは、上述のようにバーナー１８０により燃焼されて、改質器１１５で水素含有ガスを生成する際の熱源とされる。一方、暖機が完了した場合には、水素含有ガスは、水素生成装置１１０から水素含有ガス供給流路１０２を介して燃料電池１０１に供給される。ここで、暖機が完了した場合とは、例えば、水素生成装置１１０内の各反応器の温度が最適な温度にまで上昇し、ＣＯ除去器１１７より排出される水素含有ガス中の一酸化炭素濃度が十分低減された状態をいう。
【００３０】
酸化剤ガス供給器１２０は、例えば、ブロアで構成される。酸化剤ガス供給器１２０は、酸化剤ガスとしての空気を、酸化剤ガス供給流路１０３を通じて燃料電池１０１のカソード経路１０１ｂに供給する。カソード経路１０１ｂに供給された酸化剤ガスはカソードに導かれ、そこで還元反応により消費される。この酸化反応及び上述の還元反応により、電気及び熱が発生する。消費されなかった余剰の酸化剤ガスは、カソード経路１０１ｂから酸化剤ガス排出流路１０５に流出し、適宜処理された後、大気に放出される。
【００３１】
酸化ガス供給器１３０は、例えば、空気ポンプで構成される。酸化ガス供給器１３０は、水素含有ガス流路１１３に酸化ガスを混入させる第１の酸化ガス流路１３１に接続されている。第１の酸化ガス流路１３１の途中には分岐部１４０が設けられており、この分岐部１４０から、水素含有ガス供給流路１０２に設けられた合流部１４１に至るように酸化ガス（ブリージングエア）を水素含有ガスに混入させる第２の酸化ガス流路（以下、エアブリージング経路という）１３２が設けられている。第１の酸化ガス流路１３１の分岐部１４０よりも下流の部分（以下、分岐部下流経路という）１３１ａには、流量計１３３と、可変オリフィス（第１の流量調整器）１３４とが配設されている。可変オリフィスとしては、ステッピングモータ等のモータ駆動機構や比例ソレノイド等を利用した可変オリフィスを用いることができる。可変オリフィスは、開度を調整することで、分岐部下流経路１３１ａの流路抵抗を変化させ、分岐部下流経路１３１aを流れる酸化ガスの流量を調整する。
【００３２】
一方、エアブリージング経路１３２には、オリフィス１３５と、ＦＣ前弁１３６とが配設されている。オリフィス１３５は、エアブリージング経路１３２を流れる酸化ガスの量を調整する。ＦＣ前弁１３６は、エアブリージング経路１３２を閉じることにより、水素含有ガス供給流路１０２からエアブリージング経路１３２に水素含有ガスが逆流してリークするのを防止する。水素含有ガス供給流路１０２には、上述の合流部１４１が設けられていて、この合流部１４１においてエアブリージング経路１３２が水素含有ガス流路１０２に合流している。
【００３３】
冷却システム（図示せず）は、燃料電池１０１の内部を通る冷却水循環経路（図示せず）に循環ポンプ（図示せず）と放熱器（図示せず）とが配設されていて、循環ポンプにより冷却水が冷却水循環経路を循環されて燃料電池１０１が冷却されるように構成されている。
【００３４】
本発明の燃料電池システム１００は、制御器１６０を備えている。制御器１６０には、流量計１３３の検出出力が入力されている。また、制御器１６０は、水素生成装置１１０、酸化剤ガス供給器１２０、酸化ガス供給器１３０、可変オリフィス１３４、及びＦＣ前弁１３６のほか、燃料電池システム１００の所要の構成要素を制御して、燃料電池システム１００の動作を制御する。制御器１６０は、記憶部１６１と、演算部１６２とを備えている。演算部１６２は、記憶部１６１に格納された制御プログラムを読み込み、その内容を実行する。制御器１６０は、マイコン等の演算装置で構成され、燃料電池システム１００の上記の構成要素を制御して、燃料電池システム１００の動作を制御する。ここで、本明細書においては、制御器１６０とは、単独の制御器だけでなく、複数の制御器が協働して制御を実行する制御器群をも意味する。よって、制御器１６０は、必ずしも単独の制御器で構成される必要はなく、複数の制御器が分散配置されていて、それらが協働して燃料電池システム１００の動作を制御するよう構成されていてもよい。
【００３５】
インバータ（図示せず）は、燃料電池１０１の電気出力端子（図示せず）に接続されている。インバータは、燃料電池１０１の発電により生じた直流電力を交流電力に変換する。
【００３６】
次に、以上のように構成された燃料電池システム１００の動作について説明する。この燃料電池システム１００の動作は、既述のように制御器１６０の制御により遂行される。
【００３７】
まず、発電動作について説明する。
【００３８】
図１において、水素含有ガスが水素生成装置１１０から水素含有ガス供給流路１０２に送出される。一方、酸化ガス供給器１３０からエアブリージング経路１３２を介して酸化ガスが水素含有ガスに混入され、この酸化ガスを混入された水素含有ガスが燃料電池１０１に供給される。この供給された水素含有ガスは、アノード経路１０１ａに流入し、燃料電池１０１のアノードと接触する。これにより、アノードの触媒の作用によって水素がイオン化され、水素イオンは高分子電解質膜（図示せず）を通って燃料電池１０１のカソードに輸送される。また、水素から電離した電子は、アノードのガス拡散電極層（図示せず）から燃料電池１０１及び外部負荷により形成される電気回路を通って、カソードのガス拡散電極層（図示せず）に移動する。また、上記反応に用いられなかった水素含有ガスは、水素含有ガス排出流路１０４に流出する。
【００３９】
一方、酸化剤ガスが、酸化剤ガス供給器１２０から酸化ガス供給流路１０３を介して燃料電池１０１に供給される。この供給された酸化剤ガスは、カソード経路１０１ｂに流入する。そして、燃料電池１０１のカソードと接触する。そして、この過程で、燃料電池１０１のカソードでは、このカソードに輸送されてきた水素イオンが、カソードのガス拡散電極層に移動してきた電子及び酸素とカソードの触媒の作用のもとで反応して水が生成される。この反応により、電気が発生すると共に熱が発生する。この発生した電気は、燃料電池１０１の電気出力端子からインバータを介して出力されて、負荷で消費される。一方、発生した熱は、図示しない冷却水流路を流れる冷却水に伝達され、それにより、燃料電池１０１が冷却されて適宜な温度に維持される。また、上記反応に用いられなかった酸化剤ガスは、酸化剤ガス排出流路１０５に流出する。
【００４０】
次に、酸化ガスの供給系統の動作について説明する。なお、燃料電池１０１に供給される水素含有ガス及び酸化剤ガスの供給系統については周知であるので、その説明を省略する。
【００４１】
酸化ガス供給器１３０は、第１の酸化ガス流路１３１を介して酸化ガスを供給する。酸化ガス供給器１３０から供給された酸化ガスは、分岐部１４０に到達すると、分岐部下流経路１３１ａと、エアブリージング経路１３２とに分かれて流れる。
【００４２】
分岐部下流経路１３１ａを流れる酸化ガスは、水素含有ガス流路１１３に混入される。この酸化ガスは、ＣＯ除去器１１７に導入され、前記化３の酸化反応に利用される。分岐部下流経路１３１ａを流れる酸化ガスの流量は、流量計１３３によって検知される。この検知された流量が、制御器１６０に入力される。制御器１６０には、分岐部下流経路１３１ａを流れる酸化ガスの目標流量があらかじめ入力されており、流量計１３３により検知された流量が目標流量と比較される。流量計１３３により検知された流量と目標流量とに差がある場合には、制御器１６０は、酸化ガス供給器１３０の出力（供給圧力Ｐ）を制御したり、可変オリフィス１３４の開度を調整したりする。これにより、分岐部下流経路１３１ａを流れる酸化ガスの流量が制御器１６０によって目標流量になるようフィードバック制御される。
【００４３】
一方、エアブリージング経路１３２を流れる酸化ガスは、合流部１４１で水素含有ガス供給流路１０２に混入される。エアブリージング経路１３２を流れる酸化ガスの流量は、オリフィス１３５により所定量に規制される。水素含有ガス供給流路１０２に混入された酸化ガスは、燃料電池１０１のアノードに到達し、そこでアノードの白金触媒に吸着している一酸化炭素と反応する。これにより、白金触媒に吸着している一酸化炭素が二酸化炭素となって離脱するため、白金触媒の触媒性能が回復する。また、制御器１６０は、燃料電池システム１００の運転時にはＦＣ前弁１３６を開放し、燃料電池システム１００の停止時にはＦＣ前弁１３６を閉止する。これにより、水素含有ガス供給流路１０２から水素含有ガスがエアブリージング経路１３２に逆流して、リークするのが防止される。
【００４４】
通常の発電運転時では、分岐部下流経路１３１ａを流れる酸化ガスの流量は、エアブリージング経路１３２を流れる酸化ガスの流量よりも多くなるよう、分岐部下流経路１３１ａの流路抵抗は、エアブリージング経路１３２の流路抵抗よりも小さく設定されている。本実施形態では、分岐部下流経路１３１ａを流れる酸化ガスの流量と、エアブリージング経路１３２を流れる酸化ガスの流量との比率が５：１になるよう、可変オリフィス１３４、オリフィス１３５が構成されている。
【００４５】
ここで、エアブリージング経路１３２内に結露水が生成し、溜まってきていると想定される所定のタイミングで、分岐部下流経路１３１ａの流路抵抗がエアブリージング経路１３２の流路抵抗よりも大きくなるよう可変オリフィス１３４の開度を絞る。これにより、エアブリージング経路１３２の方が分岐部下流経路１３１ａよりも酸化ガスが流れやすくなり、エアブリージング経路１３２の流量が増加する。このように、エアブリージング経路１３２の流量が増加することで、エアブリージング経路１３２内の結露水が経路外に排出され、エアブリージング経路１３２内の閉塞もしくは縮小の可能性が低減される。
【００４６】
さらに、上記制御の際に、可変オリフィス１３４の開度の絞りを調整することで、エアブリージング経路１３２内の閉塞を解消可能なレベルまでエアブリージング経路１３２の圧力損失を増加させることも可能になる。以下、これについて説明する。
【００４７】
まず、酸化ガスの供給系統における流路抵抗と圧力損失との関係について、図２を参照しながら説明する。
【００４８】
図２に示すように、分岐部１４０と合流部１４１との間の合成流路抵抗ｒは、分岐部下流経路１３１ａの流路抵抗とＣＯ除去器１１７の流路抵抗との和（以下、分岐部下流経路側流路抵抗という。）ｒ1と、エアブリージング経路１３２の流路抵抗ｒ2とを用いることにより、以下の式（１）で表わされる。
【００４９】
【数１】
2008077973.tif 000003
【００５０】
ここで、式（１）の右辺から明らかなように、分岐部下流経路側流路抵抗ｒ1が大きくなると、合成流路抵抗ｒの値が大きくなる。分岐部下流経路側流路抵抗ｒ1は、可変オリフィス１３４の開度を絞ると大きくなる。
【００５１】
次に、酸化ガス供給器の供給圧力をＰ、合流部１４１以下の経路の流路抵抗をｒ0とすると、分岐部１４０と合流部１４１との間の圧力損失ΔＰは、以下の式（２）で表わされる。なお、合流部１４１以下の経路の流路抵抗ｒ0は、燃料電池１０１の起動時においてはバイパス経路１０８からバーナー１８０までを含む流路の流路抵抗であり、燃料電池１０１の発電時においては燃料電池１０１、水素含有ガス排出経路１０４、及びバーナー１８０を含む流路の流路抵抗である。
【００５２】
【数２】
2008077973.tif 000004
【００５３】
式（２）の右辺から明らかなように、合成流路抵抗ｒの値が大きくなると、分岐部１４０と合流部１４１との間の圧力損失ΔＰも大きくなる。つまり、可変オリフィス１３４の開度を絞ると分岐部下流経路側流路抵抗ｒ1が大きくなり、ひいては分岐部１４０と合流部１４１との間の合成流路抵抗ｒも大きくなって、分岐部１４０と合流部１４１との間の圧力損失ΔＰが大きくなる。
【００５４】
次に、酸化ガスの供給系統における圧力損失がエアブリージング経路１３２の閉塞を解消するための条件について説明する。
【００５５】
図２に示すように、分岐部１４０と合流部１４１との間の圧力損失ΔＰは、分岐部下流経路１３１ａの圧力損失ΔＰ1とＣＯ除去器１１７の圧力損失ΔＰPROXとの和となる（以下の式（３））。
［数３］
ΔＰ＝ΔＰ1＋ΔＰPROX    （３）
一方、分岐部１４０と合流部１４１との間の圧力損失ΔＰは、エアブリージング経路１３２の圧力損失ΔＰ2となる（以下の式（４））。
［数４］
ΔＰ＝ΔＰ2    （４）
よって、以下の式（５）が成立する。
［数５］
ΔＰ1＋ΔＰPROX＝ΔＰ2    （５）
エアブリージング経路１３２が結露水等により閉塞している場合に、これを解消するのに必要な圧力（以下、閉塞解消可能圧力という）をΔＰH2Oとする。そうすると、分岐部下流経路１３１ａの圧力損失とＣＯ除去器１１７の圧力損失との和（ΔＰ＝ΔＰ1＋ΔＰPROX）が閉塞解消可能圧力ΔＰH2Oよりも大きい場合、エアブリージング経路１３２に加わる圧力（圧力損失ΔＰ2）が閉塞解消可能圧力ΔＰH2Oよりも大きくなって、閉塞の解消が見込まれる。換言すると、分岐部下流経路１３１ａの圧力損失ΔＰ1が、閉塞解消可能圧力（圧力損失）ΔＰH2OからＣＯ除去器１１７の圧力損失ΔＰPROXを減じた圧力損失の値（所定値）よりも大きい場合には、エアブリージング経路１３２の閉塞の解消が見込まれる。
【００５６】
ここで、本実施形態では、所定のタイミングで、制御器１６０が可変オリフィス１３４の開度を一時的に十分に絞り、分岐部下流経路１３１ａの流路抵抗を十分に大きくすることで、分岐部下流経路１３１ａの圧力損失ΔＰ1が前記所定値より大きくなると、分岐部下流経路１３１ａの圧力損失とＣＯ除去器１１７の圧力損失との和（ΔＰ＝ΔＰ1＋ΔＰPROX）が閉塞解消可能圧力ΔＰH2Oよりも大きくなり、エアブリージング経路１３２に加わる圧力（圧力損失ΔＰ2）が閉塞解消可能圧力ΔＰH2Oよりも大きくなる。これにより、エアブリージング経路１３２の閉塞が解消されることが見込まれる。
【００５７】
次に、本発明を特徴付けるエアブリージング経路１３２の閉塞解消動作を行うタイミングを、図３を参照しながら説明する。この動作は、制御器１６０の制御により実現される。
【００５８】
図３に示すように、制御器１６０は、燃料電池システム１００を起動する（ステップＳ１）。次に、制御器１６０は、燃料電池システム１００の暖機を行う（ステップＳ２）。具体的には、水素生成装置１１０に原料ガスと水蒸気とを供給し、水素含有ガスを生成する。生成された水素含有ガスは、ＣＯ除去器１１７からバイパス流路１０８を介してバーナー１８０に送出され（換言すると、燃料電池システム１００の暖機時においては、生成された水素含有ガスは燃料電池１０１に供給されていない。）、このバーナー１８０で燃焼される。この燃焼により発生した熱は、水素生成装置１１０によって水素含有ガスを生成する際の熱源とされる。
【００５９】
次に、制御器１６０は、燃料電池システム１００の暖機が完了したかどうかを判断する（ステップＳ３）。燃料電池システム１００の暖機が完了していない場合には、暖機が完了するまで、上記のステップＳ２〜ステップＳ３を繰り返す。
【００６０】
燃料電池システム１００の暖機が完了した場合には、制御器１６０は、可変オリフィス１３４の開度を、エアブリージング経路１３２の圧力損失ΔＰ2がΔＰH2Oよりも一時的に大きくなるレベルまでしぼる（ステップＳ４）。次に、制御器１６０は、所定時間、燃料電池システム１００を待機させる（ステップＳ５）。ここで、所定時間は、ＣＯ除去器１１７への酸化ガスの供給量が低下することによる悪影響が生じない時間、例えば、１秒以上３０秒以下の範囲内の時間である。これにより、エアブリージング経路１３２に閉塞解消可能圧力ΔＰH2Oが加わり、エアブリージング経路１３２が閉塞していた場合でも、閉塞の原因となった結露水等を押し出し、エアブリージング経路１３２の閉塞が解消されることが見込まれる。
【００６１】
次に、制御器１６０は、可変オリフィス１３４の開度をもとの開度に戻す（ステップＳ６）。これにより、エアブリージング経路１３２に通常の流量で酸化ガスが流された状態で、分岐部下流経路１３１ａにも通常時の流量で酸化ガスが流れるようになる。その後、水素生成装置１１０から送出される水素含有ガスをバイパス流路１０８から燃料電池１０１へ供給するよう流路を切換え、燃料電池１０１に水素含有ガスの供給を開始し（ステップ７）、制御器１６０は、図示しないインバータを介して燃料電池１０１から電流を取り出し、発電を開始する（ステップＳ８）。
【００６２】
次に、本実施形態の効果を、比較例と比較して説明する。
【００６３】
可変オリフィス１３４の開度を絞り、分岐部下流経路１３１ａの流路抵抗がエアブリージング経路１３２の流路抵抗よりも大きくなるよう制御しない場合（比較例）には、エアブリージング経路１３２に結露水が溜まりやすく、経路内が縮小し、エアブリージング経路１３２より供給される酸化ガス量が極めて少なくなる。したがって、燃料電池１０１のアノード電極上でエアブリージングが十分に行われず、水素含有ガス中に含まれる微量の一酸化炭素によるアノードの触媒劣化が解消されず、燃料電池１０１の電圧低下や発電効率の低下を招く可能性が高い。
【００６４】
一方、上記の本実施形態のように可変オリフィス１３４の開度を絞り、分岐部下流経路１３１ａの流路抵抗がエアブリージング経路１３２の流路抵抗よりも大きくなるよう所定時間維持した場合は、上記のような燃料電池１０１の電圧低下も起こりにくく、さらに、エアブリージング経路１３２に結露水による閉塞が生じても、エアブリージング経路１３２の圧力損失ΔＰ2がΔＰH2Oよりも一時的に大きくなるレベルまでさらに可変オリフィス１３４の開度を絞ることで、エアブリージング経路１３２の閉塞を解消し、燃料電池１０１の性能を維持することが可能になる。
【００６５】
また、結露水によるエアブリージング経路１３２の閉塞は、燃料電池システム１００の停止動作中、待機中、低温起動中において発生しやすい。燃料電池システム１００の停止動作中、待機中、低温起動中においては、一旦、エアブリージング経路１３２の閉塞が解消した後、再度、エアブリージング経路１３２内に結露水が生成して閉塞する場合がある。したがって、上記の動作は、結露水の粘性の低下により閉塞解消可能圧力ΔＰH2Oの低下も見込める暖機後に行うことが好ましい。これにより、効果的にエアブリージング経路１３２内に結露水による閉塞が生じても、上述の可変オリフィス１３４の制御により、これを解消することができる。具体的には、燃料電池１０１の水素含有ガス入口よりも上流の温度が、水素含有ガスに含まれる水蒸気の露点よりも高く、かつ、燃料電池１０１から電流を取り出す前に行うことが効果的である。
【００６６】
［変形例］
上記第１実施形態の燃料電池システム１００では、変成器１１６に用いる変成触媒として、Ｃｕ／ＺｎＯ触媒等の銅含有変成触媒を用いている。銅含有変成触媒は、空気に触れると酸化し、触媒性能が劣化する。
【００６７】
そこで、本変形例においては、原料ガスを改質器１１５に通流させながら、制御器１６０が、可変オリフィス（第１の流量調整器）１３４の上記制御を行う。具体的には、原料ガスを改質器１１５に通流させながら、可変オリフィス１３４の開度を絞り、分岐部下流経路１３１ａの流路抵抗がエアブリージング経路１３２の流路抵抗よりも大きくなるよう変化させる。これにより、導入した酸化ガスは原料ガスにより下流に押し流されるので、導入した酸化ガスが変成器１１６に逆流することが防止される。したがって、銅含有変成触媒が酸化ガスにより酸化されることが抑制され、銅含有変成触媒の触媒性能を維持することができる。あわせて、エアブリージング経路１３２に結露水が生成している場合でも、エアブリージング経路１３２に流れる酸化ガス流量が増加して、結露水を経路外に排出し、経路の閉塞が抑制されることが可能になる。
【００６８】
なお、上述の本実施形態及びその変形例の燃料電池システムにおいてエアブリージング経路１３２内に生成した結露水を経路外に排出するため、可変オリフィス１３４の開度を絞り分岐部下流経路１３１ａの流路抵抗がエアブリージング経路１３２の流路抵抗よりも大きくなるよう変化させたが、これは、ＣＯ除去器１１７の流路抵抗が装置の構成によってはかなり小さくなる可能性もあるため、確実に分岐部下流経路側流路抵抗ｒ1をエアブリージング経路１３２の流路抵抗ｒ2よりも大きくし、エアブリージング経路１３２側に酸化ガスが流れやすくなるようにするためである。
【００６９】
（第２実施形態）
図４は、本発明の第２実施形態の燃料電池システムの構成の一例を示すブロック図である。図５は、図４の燃料電池システムを制御する制御プログラムを示すフローチャートである。
【００７０】
図４に示すように、本実施形態の燃料電池システム２００は、第１の流量調整器１３４として、可変オリフィスの代わりに、弁を用いている。弁は、例えば、流量調整弁で構成される。それ以外の構成については、第１実施形態の燃料電池システム１００と同じである。
【００７１】
次に、酸化ガスの供給系統の動作について簡単に説明する。
【００７２】
制御器１６０が弁１３４を所要の開度に制御すると、目標流量の酸化ガスが分岐部下流経路１３１ａを流れる。一方、制御器１６０が弁１３４を閉じると、分岐部下流経路１３１ａの流路抵抗が極めて大きくなって、酸化ガスが分岐部下流経路１３１ａを流れなくなる。これにより、エアブリージング経路１３２に流れる酸化ガス流量が増加し、経路内の結露水が外部に排出される。また、分岐部下流経路１３１ａの圧力損失とＣＯ除去器１１７の圧力損失との和（ΔＰ＝ΔＰ1＋ΔＰPROX）が閉塞解消可能圧力ΔＰH2Oよりも大きくなり、エアブリージング経路１３２に加わる圧力（圧力損失ΔＰ2）が閉塞解消可能圧力ΔＰH2Oよりも大きくなって、エアブリージング経路１３２内に閉塞が生じても、これが解消されることが見込まれる。
【００７３】
次に、本発明を特徴付けるエアブリージング経路１３２の閉塞解消動作を行うタイミングを、図５を参照しながら説明する。
【００７４】
図５に示すように、ステップＳ２１〜ステップＳ２３までは、図３に示すステップＳ１〜ステップＳ３までと同じである。
【００７５】
ステップＳ２３において、燃料電池システム１００の暖機が完了した場合には、制御器１６０は、弁１３４を閉じる（ステップＳ２４）。次に、制御器１６０は、所定時間、燃料電池システム１００を待機させる（ステップＳ２５）。ここで、所定時間は、ＣＯ除去器１１７に酸化ガスが供給されないことによる悪影響が生じない時間、例えば、１秒以上１５秒以下の範囲内の時間であることが好ましい。これにより、分岐部下流経路１３１ａに酸化ガスが流れなくなり、エアブリージング経路１３２内の結露水が外部に排出される。さらに、エアブリージング経路１３２に閉塞が生じても、閉塞の原因となった結露水等を押し出し、エアブリージング経路１３２の閉塞が解消されることが見込まれる。
【００７６】
次に、制御器１６０は、弁１３４を開く（ステップＳ２６）。これにより、エアブリージング経路１３２に通常時の流量で酸化ガスが流された状態で、分岐部下流経路１３１ａにも通常時の流量で酸化ガスが流れるようになる。その後、制御器１６０は、水素生成装置１１０から送出される水素含有ガスをバイパス流路１０８から燃料電池１０１へ供給するよう流路を切換え、燃料電池１０１に水素含有ガスの供給を開始し（ステップ２７）、図示しないインバータを介して燃料電池１０１から電流を取り出し、発電を開始する（ステップＳ２８）。
【００７７】
本実施形態の燃料電池システム２００は、制御器１６０により、上記のように制御することで、エアブリージング経路１３２内に生成した結露水を外部に排出できるだけでなく、エアブリージング経路１３２に閉塞が生じた場合においても、既存のシステム構成要素を用いて解消することが見込まれる。
【産業上の利用可能性】
【００７８】
本発明の燃料電池システム及びその運転方法は、バイパスラインとして構成されたエアブリージング経路の閉塞経路内に生成した結露水を経路外に排出し、経路の閉塞を抑制することが可能になるもので、家庭用の燃料電池システム及びその運転方法として有用である。
【図面の簡単な説明】
【００７９】
【図１】本発明の第１実施形態の燃料電池システムの構成の一例を示すブロック図。
【図２】図１の燃料電池システムのうちの一部の構成を示す概略図。
【図３】図１の燃料電池システムを制御する制御プログラムを示すフローチャート。
【図４】本発明の第２実施形態の燃料電池システムの構成の一例を示すブロック図。
【図５】図４の燃料電池システムを制御する制御プログラムを示すフローチャート。
【符号の説明】
【００８０】
１００，２００  燃料電池システム
１０１  燃料電池
１０１ａ  アノード経路
１０１ｂ  カソード経路
１０２  水素含有ガス供給流路
１０３  酸化剤ガス供給流路
１０４  水素含有ガス排出流路
１０５  酸化剤ガス排出流路
１０８  バイパス流路
１１０  水素生成装置
１１３  水素含有ガス流路
１１５  改質器
１１６  変成器
１１７  ＣＯ除去器
１２０  酸化剤ガス供給器
１３０  酸化ガス供給器
１３１  第１の酸化ガス流路
１３１ａ  分岐部下流経路
１３２  第２の酸化ガス流路（エアブリージング経路）
１３３  流量計
１３４  可変オリフィス、弁（第１の流量調整器）
１３５  オリフィス
１３６  ＦＣ前弁
１４０  分岐部
１４１  合流部
１６０  制御器
１６１  記憶部
１６２  演算部
１８０  燃焼バーナー
【図１】
2008077973.tif 000005
【図２】
2008077973.tif 000006
【図３】
2008077973.tif 000007
【図４】
2008077973.tif 000008
【図５】
2008077973.tif 000009